(57)【要約】【課題】携帯しての使用が前提となる小型電子機器で、表示部の画面の大きさ以上に画像を拡大しての表示を可能としながらも、そのための機構を使用しない状態での取扱いが煩雑とならず、携帯性を損なうことがない撮像投影装置を提供する【解決手段】撮影レンズ２と、この撮影レンズ２の光路上の合焦位置に挿脱可能に配置されたＣＣＤ23と、画像を表示する透過型カラー液晶パネル20ｂと、この表示パネル20ｂの画像表示方向の背面側に配置されたバックライト機構20ａと、撮影モード時と投影モード時とでＣＣＤ23の上記合焦位置への挿脱を切換える切換機構と、投影モード時に上記バックライト機構20ａ及びカラー液晶パネル20ｂ双方の少なくとも一部を上記撮影レンズ２の光路上に配置するヒンジ部21とを備える。【選択図】      図２
2005203953.tif 000002
【特許請求の範囲】
【請求項１】
光学レンズ系と、
この光学レンズ系の光路上の合焦位置に挿脱可能に配置された撮像素子と、
画像を表示する透過型表示パネルと、
この透過型表示パネルの画像表示方向の背面側に配置されたバックライトと、
撮影モード時と投影モード時とで上記撮像素子の上記合焦位置への挿脱を切換える位置制御手段と、
投影モード時に上記バックライト及び透過型表示パネル双方の少なくとも一部を上記光学レンズ系の光路上に配置する投影機構と
を具備したことを特徴とする撮像投影装置。
【請求項２】
上記バックライトの投影モード時に上記光学レンズ系の光路上に配置される少なくとも一部は、投影モード時に発光輝度をより高めることを特徴とする請求項１記載の撮像投影装置。
【請求項３】
上記バックライトは、投影モード時に上記光学レンズ系の光路上に配置される一部と、配置されない他部とで発光素子を別に設け、投影モード時に上記光学レンズ系の光路上に配置される一部側の発光素子は少なくとも発光輝度を制御可能としたことを特徴とする請求項２記載の撮像投影装置。
【請求項４】
上記光学レンズ系の光路中に挿脱可能に配置される、投影モード専用の投影レンズをさらに具備したことを特徴とする請求項１記載の撮像投影装置。
【請求項５】
上記投影機構により撮影モード時に上記バックライト及び透過型表示パネル双方の少なくとも一部が上記光学レンズ系の光路上にない状態で、装置外部から上記撮像素子への入光を遮断する遮光手段をさらに具備したことを特徴とする請求項１記載の撮像投影装置。
【請求項６】
上記遮光手段は、投影モードの設定を行なうスイッチを兼用することを特徴とする請求項５記載の撮像投影装置。
【請求項７】
上記遮光手段は、上記位置制御手段により装置内部で上記撮像素子と連動して配置されることを特徴とする請求項５記載の撮像投影装置。
【請求項８】
上記装置はヒンジ機構を介して２つの筐体を接続した折りたたみ式の本体を有し、
上記光学レンズ系、撮像素子、上記遮光手段及び位置制御手段が第１の筐体に設けられ、且つ該遮光手段は本体折りたたみ時に内面となる側に設けられ、
上記透過型表示パネル及びバックライトが第２の筐体の本体折りたたみ時に内面となる側に設けられる
ことを特徴とする請求項１記載の撮像投影装置。
【発明の詳細な説明】
【技術分野】
【０００１】
本発明は、特にデジタルカメラやカメラ付き携帯電話機等の小型携帯機器に好適な撮像投影装置に関する。
【背景技術】
【０００２】
近時、デジタルカメラやカメラ付き携帯電話機等の携帯性を重視した小型電子機器では、撮像機能を有するだけでなく、撮像により得た画像を再生表示する表示部での視認性を高めるために、液晶表示部のサイズが徐々に大きいものとなっている。
【０００３】
しかしながら、装置本体の大きさが年々小型化していく一方で、表示部のサイズを大きくするのには限界があり、それがために、より表示部画面を拡大して見ることができるようにしたものが種々考えられている。（例えば、特許文献１，２）
【特許文献１】特開２００１−１９７１７７号公報
【特許文献２】特開２００３−１４３２８２号公報
【発明の開示】
【発明が解決しようとする課題】
【０００４】
しかしながら、上記各特許文献の技術はいずれも装置の表示部に対して拡大用の光学レンズを取付けるようにしたもので、装置本体に装着した状態、あるいは別体とした状態で携帯しなければならず、使用しない状態での取扱いが煩わしいという不具合があった。
【０００５】
本発明は上記のような実情に鑑みてなされたもので、その目的とするところは、携帯しての使用が前提となる小型電子機器で、表示部の画面の大きさ以上に画像を拡大しての表示を可能としながらも、そのための機構を使用しない状態での取扱いが煩雑とならず、携帯性を損なうことがない撮像投影装置を提供することにある。
【課題を解決するための手段】
【０００６】
請求項１記載の発明は、光学レンズ系と、この光学レンズ系の光路上の合焦位置に挿脱可能に配置された撮像素子と、画像を表示する透過型表示パネルと、この透過型表示パネルの画像表示方向の背面側に配置されたバックライトと、撮影モード時と投影モード時とで上記撮像素子の上記合焦位置への挿脱を切換える位置制御手段と、投影モード時に上記バックライト及び透過型表示パネル双方の少なくとも一部を上記光学レンズ系の光路上に配置する投影機構とを具備したことを特徴とする。
【０００７】
請求項２記載の発明は、上記請求項１記載の発明において、上記バックライトの投影モード時に上記光学レンズ系の光路上に配置される少なくとも一部は、投影モード時に発光輝度をより高めることを特徴とする。
【０００８】
請求項３記載の発明は、上記請求項１記載の発明において、上記バックライトは、投影モード時に上記光学レンズ系の光路上に配置される一部と、配置されない他部とで発光素子を別に設け、投影モード時に上記光学レンズ系の光路上に配置される一部側の発光素子は少なくとも発光輝度を制御可能としたことを特徴とする。
【０００９】
請求項４記載の発明は、上記請求項１記載の発明において、上記光学レンズ系の光路中に挿脱可能に配置される、投影モード専用の投影レンズをさらに具備したことを特徴とする。
【００１０】
請求項５記載の発明は、上記請求項１記載の発明において、上記投影機構により撮影モード時に上記バックライト及び透過型表示パネル双方の少なくとも一部が上記光学レンズ系の光路上にない状態で、装置外部から上記撮像素子への入光を遮断する遮光手段をさらに具備したことを特徴とする。
【００１１】
請求項６記載の発明は、上記請求項５記載の発明において、上記遮光手段は、投影モードの設定を行なうスイッチを兼用することを特徴とする。
【００１２】
請求項７記載の発明は、上記請求項５記載の発明において、上記遮光手段は、上記位置制御手段により装置内部で上記撮像素子と連動して配置されることを特徴とする。
【００１３】
請求項８記載の発明は、上記請求項１記載の発明において、上記装置はヒンジ機構を介して２つの筐体を接続した折りたたみ式の本体を有し、上記光学レンズ系、撮像素子、上記遮光手段及び位置制御手段が第１の筐体に設けられ、且つ該遮光手段は本体折りたたみ時に内面となる側に設けられ、上記透過型表示パネル及びバックライトが第２の筐体の本体折りたたみ時に内面となる側に設けられることを特徴とする。
【発明の効果】
【００１４】
請求項１記載の発明によれば、撮像のための光学レンズ系と表示用の透過型表示パネル及びバックライトとを投影にも兼用し、装置内部の撮像素子の位置を光路から退避させた上で上記バックライト及び透過型表示パネル双方の少なくとも一部を上記光学レンズ系の光路上に配置して表示画像をそのまま投影可能としたことにより、投影表示のための機構を使用しない状態での取扱いが煩雑とならず、携帯性を損なうことがない。
【００１５】
請求項２記載の発明によれば、上記請求項１記載の発明の効果に加えて、投影モード時にその光源となるバックライトの少なくとも一部の発光輝度をより高めるものとしたので、投影モード時により明るく、したがって投影対象との距離をとって、より大きな画像を投影表示させることができる。
【００１６】
請求項３記載の発明によれば、上記請求項１記載の発明の効果に加えて、投影モード時の光源としても適した発光素子を予めバックライトの少なくとも一部に採用することで、投影モード時の発光輝度を高め、且つ電力消費の少ない発光素子を選択するなど、より投影モード時に投影表示される画像の質を上げながら、装置の負担を軽減させることが可能となる。
【００１７】
請求項４記載の発明によれば、上記請求項１記載の発明の効果に加えて、投影モード専用の投影レンズを設けて投影モード時の焦点距離等、光学的特性を補償することにより、撮影を行なうための光学レンズ系の設計がより容易となる。
【００１８】
請求項５記載の発明によれば、上記請求項１記載の発明の効果に加えて、撮影モード時に光学レンズ系以外から撮像素子に外光が入射するのを確実に防止できる。
【００１９】
請求項６記載の発明によれば、上記請求項５記載の発明の効果に加えて、遮光手段を投影モードの設定を行なうスイッチと兼用することで、投影モードの設定／解除のための機構を減らすことができるだけでなく、投影モードの設定／解除のための操作性をより向上させることができる。
【００２０】
請求項７記載の発明によれば、上記請求項１記載の発明の効果に加えて、上記遮光手段を装置内部で上記撮像素子と連動して配置されるものとすることで、例えばユーザによる遮光用カバーの手動での着脱等の手間を省き、より操作性を向上させることができる。
【００２１】
請求項８記載の発明によれば、上記請求項１記載の発明の効果に加えて、投影モード時の画像形成及び光源側と投影側の位置設定を装置の折りたたみ操作により簡易に実現できる。
【発明を実施するための最良の形態】
【００２２】
（第１の実施の形態）  
以下本発明を投影機能付きのデジタルカメラに適用した場合の第１の実施の形態について図面を参照して説明する。
【００２３】
図１は、その外観構成を示すもので、図１（Ａ）が主に前面の、図１（Ｂ）が主に背面の構成を示す斜視図である。
【００２４】
このデジタルカメラ１は、略矩形の薄板状ボディの前面に、（光学）ズーム機能を有する撮影レンズ２、セルフタイマランプ３、光学ファインダ窓４、マイクロホン部５、ストロボ発光部６、及びバーグリップ７を配設し、上面の（ユーザにとって）右端側には電源キー８及びシャッタキー９を配する。
【００２５】
バーグリップ７は、ユーザが撮影時にデジタルカメラ１を右手で筐体右側面側から把持した場合に右手中指、薬指、及び小指が確実に該筐体を把持できるように配設された金属製の帯状突起である。
【００２６】
また、電源キー８は、電源のオン／オフ毎に操作するキーであり、シャッタキー９は、撮影モード時に撮影を指示する。
【００２７】
また、デジタルカメラ１の背面には、Ｗ／Ｔキー１０、撮影モード（ＲＥＣ）キー１１、再生モード（ＰＬＡＹ）キー１２、投影モード（ＰＲＯＪ．）キー１３、メニュー（ＭＥＮＵ）キー１４、リングキー１５、セット（ＳＥＴ）キー１６、スピーカ部１７、インジケータ部１８、光学ファインダ１９、及び表示部２０を配する。
【００２８】
Ｗ／Ｔキー１０は、シーソースイッチでなり、Ｗ（Ｗｉｄｅ：広角）側あるいはＴ（Ｔｅｌｅ：望遠）側を操作することで上記撮影レンズ２の焦点距離をしての範囲内で無段界に可変設定する。
【００２９】
撮影モードキー１１、再生モードキー１２、及び投影モードキー１３は、その操作により電源のオン／オフに関係なく無条件に電源をオン設定すると共に、その操作されたキーに応じて基本モードを撮影モードあるいは再生モードあるいは投影モードを選択設定する。
【００３０】
メニューキー１４は、各種メニュー項目等を選択させる際に操作する。
【００３１】
リングキー１５は、円周状のキーでなり、その操作位置に対応して上下左右各方向へのカーソル移動を指示する。セットキー１６は、円周状の上記リングキー１５の中心に位置し、仮選択状態にある項目の選択設定を指示する。
【００３２】
スピーカ部１７は、再生モードまたは投影モード時に必要により音声を拡声出力する。
【００３３】
インジケータ部１８は、例えば赤色と緑色各１個、計２個のＬＥＤランプでなり、ストロボの充電状態やＡＦ（自動合焦）機能に伴う合焦状態等を点灯または点滅とそのパターンにより表示する。
【００３４】
表示部２０は、透過型のカラー液晶表示パネルと冷陰極管及び拡散板とでなるバックライト機構を一体に構成するもので、図示する如くヒンジ部２１を中心として矢印Ａに示すように回動可能となっており、同図は再生モード時の回動位置を示す。
【００３５】
この再生モードの状態では、手前側にカラー液晶パネルが、背面（カメラの前）側にバックライト機構が位置し、このデジタルカメラ１の背面側に位置しているユーザが表示再生される画像を視認可能となる。
【００３６】
また、投影モード時には、この表示部２０を矢印Ａに沿ってヒンジ部２１を中心に略１８０°回動させ、反対側のボディ凹部１ａに嵌合させる。このボディ凹部１ａは、表示部２０が当接される面が透明樹脂により封止され、デジタルカメラ１内部の気密を保ちながら、撮影レンズ２の光路上に表示部２０を配置させるためのものである。
【００３７】
そして、撮影モード時及び再生モード時には、樹脂製の遮光キャップ２２を矢印Ｂに示すようにこのボディ凹部１ａに嵌合して被覆しておくことで、デジタルカメラ１ボディ内部、特に後述する固体撮像素子であるＣＣＤへの外部光の入射を回避するものとしている。
【００３８】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００３９】
図２は、投影モード時と撮影モード時及び再生モード時とで切り換える、デジタルカメラ１内外の部位の配置の概念について示すものである。同図で、撮影モード時及び再生モード時に撮影レンズ２の光路上の合焦位置にあるＣＣＤ２３は、投影モード時には矢印Ｃに示す如く該光路から退避される。
【００４０】
加えて投影モードでは、このＣＣＤ２３に代わって投影レンズ２４が矢印Ｄに示すように上記光路上に配置される。この投影レンズ２４は、投影モード時に撮影レンズ２の焦点距離等の光学的特性を補償し、投影画像を撮影レンズ２の前方至近位置で合焦させるためのものである。
【００４１】
上記図２ではＣＣＤ２３と投影レンズ２４を別個に移動させるものとしたが、例えば１枚の回路基板の同一円周上にＣＣＤ２３と投影レンズ２４とを配置し、撮影レンズ２の焦点距離や絞り等を可変駆動するモータの切り換え駆動により該回路基板を回動させるようにすることで、ＣＣＤ２３と投影レンズ２４とが物理的に干渉することなく択一的に撮影レンズ２の光路上に配置されるようにしてもよい。
【００４２】
さらに、図１でも示した如く表示部２０を手動で矢印Ａに示すように撮影レンズ２の光路上に配置する。この投影モード時における表示部２０は、カメラの背面側にバックライト機構２０ａが、その前側にカラー液晶パネル２０ｂが位置し、上記図２の矢印Ｃで示した如くカラー液晶パネル２０ｂでの表示により形成された光像がバックライト機構２０ａの照光により投影レンズ２４と撮影レンズ２を介してデジタルカメラ１の前方に位置する図示しない対象物、例えばスクリーン等に投影表示される。  
手動で操作する表示部２０の回動位置は、ヒンジ部２１に設けられた後述する位置検出スイッチ２５により検出される。
【００４３】
次いで図３により上記デジタルカメラ１の電子回路構成を説明する。  
同図で、基本モードである撮影モードにおいては、所定のビデオレート、例えば１／３０［秒］毎にモータ３１の駆動により焦点距離に応じたレンズ位置が移動される、上記撮影レンズ２を構成するレンズ光学系３２の撮影光軸後方に配置された撮像素子であるＣＣＤ２３が、タイミング発生器（ＴＧ）３３、垂直ドライバ３４によって走査駆動され、一定周期毎に結像した光像に対応する光電変換出力を１画面分出力する。
【００４４】
この光電変換出力は、アナログ値の信号の状態でＲＧＢの各原色成分毎に適宜ゲイン調整された後に、サンプルホールド回路（Ｓ／Ｈ）３５でサンプルホールドされ、Ａ／Ｄ変換器３６でデジタルデータに変換され、さらにカラープロセス回路３７で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ３８に出力される。
【００４５】
ＤＭＡコントローラ３８は、カラープロセス回路３７の出力する輝度信号Ｙ及び色差信号Ｃｂ，Ｃｒを、同じくカラープロセス回路３７からの複合同期信号、メモリ書込みイネーブル信号、及びクロック信号を用いて一度ＤＭＡコントローラ３８内部のバッファに書込み、ＤＲＡＭインタフェース（Ｉ／Ｆ）３９を介してバッファメモリとして使用されるＤＲＡＭ４０にＤＭＡ転送を行なう。
【００４６】
制御部４１は、ＣＰＵと、後述する投影モードでの処理を含む該ＣＰＵで実行される動作プログラム等を固定的に記憶したＲＯＭ、及びワークメモリとして使用されるＲＡＭ等により構成され、このデジタルカメラ１全体の制御動作を司る。
【００４７】
しかして制御部４１は、上記輝度及び色差信号のＤＲＡＭ４０へのＤＭＡ転送終了後に、この輝度及び色差信号をＤＲＡＭインタフェース３９を介してＤＲＡＭ４０より読出し、ＶＲＡＭコントローラ４２を介してＶＲＡＭ４３に書込む。
【００４８】
デジタルビデオエンコーダ４４は、上記輝度及び色差信号をＶＲＡＭコントローラ４２を介してＶＲＡＭ４３より定期的に読出し、これらのデータを元にビデオ信号を発生して上記表示部２０のカラー液晶パネル２０ｂに出力する。
【００４９】
この表示部２０は、上述した如くデジタルカメラ１の背面側にバックライト機構２０ａとカラー液晶パネル２０ｂが一体にして回動自在に設けられるもので、上記図１で示したような撮影モード時の回動状態ではモニタ表示部（電子ファインダ）として機能し、デジタルビデオエンコーダ４４からのビデオ信号に基づいた表示を行なうことで、その時点でＶＲＡＭコントローラ４２から取込んでいる画像情報に基づく画像をリアルタイムに表示することとなる。
【００５０】
このように表示部２０にその時点での画像がモニタ画像としてリアルタイムに表示されている、所謂スルー画像のモニタ表示状態で、静止画撮影を行ないたいタイミングで上記シャッタキー９を操作すると、トリガ信号を発生する。
【００５１】
制御部４１は、このトリガ信号に応じてその時点でＣＣＤ２３の上記ビデオレートにしたがった駆動を停止した後、自動合焦処理及び自動露出処理を実行して適正な合焦値及び露出値を得、得た内容に基づいてレンズ光学系３２の合焦位置、絞りとＣＣＤ２３の露光時間を制御してあらためて撮像を実行させる。
【００５２】
こうして新たに得られた１フレーム分の画像データがＤＲＡＭ４０にＤＭＡ転送されて書込まれた後、制御部４１がＤＲＡＭ４０に書込まれている１フレーム分の輝度及び色差信号をＤＲＡＭインタフェース３９を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路４５に書込み、このＪＰＥＧ回路４５でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５３】
そして、得た符号データを１画像のデータファイルとして該ＪＰＥＧ回路４５から読出し、このデジタルカメラ１の記録媒体として着脱自在に装着されているメモリカード４６か、メモリカード４６が装着されていない場合はこのデジタルカメラ１に固定的に内蔵される内蔵メモリ４７に書込む。
【００５４】
そして、１フレーム分の輝度及び色差信号の圧縮処理及びメモリカード４６または内蔵メモリ４７への全圧縮データの書込み終了に伴なって、制御部４１はビデオレートに基づいたＣＣＤ２３からＤＲＡＭ４０を経由して表示部２０でスルー画像をモニタ表示させる駆動を再開する。
【００５５】
また、制御部４１には、キー入力部４８、音声処理部４９、ストロボ駆動部５０、及び位置検出スイッチ２５が接続される。
【００５６】
キー入力部４８は、上述した電源キー８、シャッタキー９、Ｗ／Ｔキー１０、撮影モードキー１１、撮影モードキー１１、再生モードキー１２、投影モードキー１３、メニューキー１４、リングキー１５、及びセットキー１６等から構成され、それらのキー操作に伴なう信号は直接制御部４１へ送出される。
【００５７】
音声処理部４９は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成して上記メモリカード４６または内蔵メモリ４７へ送出する一方、音声の再生時にはメモリカード４６またはキー入力部４８から送られてきた音声データファイルの圧縮を解いてアナログ化し、上記スピーカ部（ＳＰ）１７を駆動して、拡声放音させる。
【００５８】
さらに音声処理部４９は、制御部４１からの制御に基づいて各種動作音、例えば上記シャッタキー９の操作に伴う擬似的なシャッタ音、他のキーの操作に伴うビープ音等も発生してスピーカ部１７より拡声放音させる。
【００５９】
ストロボ駆動部５０は、静止画像撮影時に図示しないストロボ用の大容量コンデンサを充電した上で、制御部４１からの制御に基づいて上記ストロボ発光部６を閃光駆動する。
【００６０】
位置検出スイッチ２５は、上述した如く上記ヒンジ部２１に配設され、表示部２０の回動位置を検出して上記制御部４１へ検出信号を送出する。
【００６１】
しかるに、静止画像ではなく動画像の撮影時においては、シャッタキー９が操作され続けている間、上述した静止画データをＪＰＥＧ回路４５でデータ圧縮した静止画データファイルのメモリカード４６または内蔵メモリ４７への記録を時間的に連続して実行し、該シャッタキー９の操作が終わるか、または所定の制限時間、例えば３０秒が経過した時点でそれら一連の静止画データファイルを一括してモーションＪＰＥＧのデータファイル（ＡＶＩファイル）として設定し直す。
【００６２】
この時、音声付きの動画像の撮影が指定されている場合には、上述した如くマイクロホン部５からの入力により得た音声データファイルも関連付けて記録させる。
【００６３】
また、基本モードである再生モード時には、制御部４１がメモリカード４６または内蔵メモリ４７に記録されている画像データを選択的に読出し、ＪＰＥＧ回路４５で撮影モード時にデータ圧縮した手順と全く逆の手順で圧縮されている画像データを伸長し、伸長した画像データをＤＲＡＭインタフェース３９を介してＤＲＡＭ４０に保持させた上で、このＤＲＡＭ４０の保持内容をＶＲＡＭコントローラ４２を介してＶＲＡＭ４３に記憶させ、このＶＲＡＭ４３より定期的に画像データを読出してビデオ信号を発生し、上記表示部２０のカラー液晶パネル２０ｂで再生出力させる。
【００６４】
選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００６５】
次に上記実施の形態の動作について説明する。  
なお、以下に示す各処理は、基本的に制御部４１が予め固定記憶したプログラムに基づいて実行するものである。
【００６６】
図４は、基本モードである投影モード時の動作について説明するものである。  
その動作当所においては、電源オフ時、あるいは電源がオンされて撮影モードまたは再生モードが指定されている状態から、投影モードキー１３の操作がなされたか否かを繰返し判断することで、投影モードが指示されるのを待機する（ステップＡ０１）。
【００６７】
そして投影モードキー１３が操作されると、まず投影に先立って上記図２の矢印Ｃで示した如くＣＣＤ２３を撮影レンズ２の光路上から退避させ（ステップＡ０２）、代わって上記図２の矢印Ｄで示した如く投影レンズ２４を該光路上に挿入、配置する（ステップＡ０３）。
【００６８】
その後、位置検出スイッチ２５の検出信号により表示部２０が投影位置にあるか否かを判断し（ステップＡ０４）、投影位置になければ制御部４１内部のタイマによりその時間をカウントし（ステップＡ０５）、一定時間、例えば５［秒］に達したか否かを判断して（ステップＡ０６）、達していなければ上記ステップＡ０４に戻る、という処理を繰返し実行し、表示部２０がユーザの手動操作により投影位置とされるのを待機する。
【００６９】
表示部２０が投影位置にないまま一定時間が経過し、これをステップＡ０６で判断すると、表示部２０のカラー液晶パネル２０ｂに、例えば  
「表示パネルを投影位置まで回してください」  
のようなガイドメッセージを表示した上で（ステップＡ０７）、再び上記ステップＡ０４からの処理に戻り、表示部２０が回動操作されるのを待機する。
【００７０】
しかして、上記遮光キャップ２２がデジタルカメラ１のボディ凹部１ａから取り外され、表示部２０が投影位置まで回動されると、ステップＡ０４でこれを判断し、上記投影モードキー１３を操作する前に再生モードが指定されていた場合には最後に再生表示していた画像を、またそうでない場合にはメモリカード４６または内蔵メモリ４７に記録されている画像の中でタイムスタンプ情報が最も新しい画像を選択して再生し、表示部２０のカラー液晶パネル２０ｂで表示させると共に（ステップＡ０８）、同表示部２０のバックライト機構２０ａの発光輝度を最大に高める（ステップＡ０９）。
【００７１】
このとき、カラー液晶パネル２０ｂでの表示により形成された光像がバックライト機構２０ａの最大輝度での照光により投影レンズ２４と撮影レンズ２を介してデジタルカメラ１の前方に投影されるので、このデジタルカメラ１を図示しない対象物、例えばスクリーン等から適切な距離だけ離して配置することにより、画像を拡大した状態で投影表示することができる。
【００７２】
この投影表示状態では、Ｗ／Ｔキー１０が操作されたか否か（ステップＡ１０）、リングキー１５の左右いずれかの方向を示すキーが操作されたか否か（ステップＡ１１）、撮影モードキー１１または再生モードキー１２が操作されて投影モードの解除が指示されたか否か（ステップＡ１２）を繰返し判断することで、これらのキー操作を受付ける。
【００７３】
上記ステップＡ１０でＷ／Ｔキー１０が操作されたと判断した場合には、その操作に対応して撮影レンズ２の焦点距離を可変することで投影画像の合焦位置を移動させ（ステップＡ１３）、再び上記ステップＡ０９からの投影表示状態に戻る。
【００７４】
上記ステップＡ１１でリングキー１５の左右いずれかの方向を示すキーが操作されたと判断した場合には、その操作方向に対応して、それまで表示していた画像に代えて、例えば左キーであればタイムスタンプ情報が１つ古い画像、右キーであればタイムスタンプ情報が１つ新しい画像をメモリカード４６または内蔵メモリ４７から選択してカラー液晶パネル２０ｂで再生表示させ（ステップＡ１４）、再び上記ステップＡ０９からの投影表示状態に戻る。
【００７５】
この場合、メモリカード４６または内蔵メモリ４７に記録されている最もタイムスタンプ情報が古い画像を表示している状態からさらに左キーが操作された際には、最もタイムスタンプ情報が新しい画像を選択し、反対に最もタイムスタンプ情報が新しい画像を表示している状態からさらに右キーが操作された際には、最もタイムスタンプ情報が古い画像を選択して再生表示させることにより、メモリカード４６または内蔵メモリ４７に記録されている画像データを循環的に取扱うことができる。
【００７６】
また、上記ステップＡ１２で撮影モードキー１１または再生モードキー１２が操作されて投影モードの解除が指示されたと判断した場合には、表示部２０のバックライト機構２０ａの発光輝度を通常の発光輝度に戻して無駄な電力消費を避けるようにした後（ステップＡ１５）、上記ステップＡ０２，Ａ０３での処理とは反対に投影レンズ２４を撮影レンズ２の光路上から退避させ（ステップＡ１６）、代わってＣＣＤ２３を該光路上に挿入、配置し（ステップＡ１７）、以上で投影モードを解除したものとして、再び上記ステップＡ０１からの処理に戻り、撮影モードまたは再生モードでの処理を実行しながら、投影モードキー１３が操作されるのを待機する。
【００７７】
このように、撮像のための撮影レンズ２を含むレンズ光学系３２と表示用のカラー液晶パネル２０ｂ及びバックライト機構２０ａとを投影にも兼用し、装置内部のＣＣＤ２３の位置を光路から退避させた上でバックライト機構２０ａ及びカラー液晶パネル２０ｂ双方をレンズ光学系３２の光路上に配置して表示画像をそのまま投影可能としたことにより、投影のためだけの別途構造物をデジタルカメラ１外部に装着するなどということがなく、デジタルカメラ１の取扱いが煩雑とならず、携帯性を損なうことがない。
【００７８】
加えて上記実施の形態では、投影モード時にその光源となるバックライト機構２０ａの発光輝度をより高めるものとしたので、投影モード時により明るく、したがって投影対象との距離をとって、より大きな画像を投影表示させることができる。
【００７９】
さらに上記実施の形態では、投影モード専用の投影レンズ２４を設けるものとしたので、投影モード時の焦点距離等、光学的特性を補償することにより、撮影を行なうための撮影レンズ２の設計がより容易となる。
【００８０】
なお、投影モード時以外はデジタルカメラ１のボディ凹部１ａに遮光キャップ２２を装着し、特に撮影モード時に撮影レンズ２以外からＣＣＤ２３に外光が入射するのを確実に防止するものとした。
【００８１】
しかしながら、このようなデジタルカメラ１と別部品としての遮光キャップ２２を用いずとも、デジタルカメラ１内部でＣＣＤ２３と連動して上記ボディ凹部１ａの表示部２０との当接面を遮光するような遮光部材を移動配置させるものとすれば、ユーザによる遮光キャップ２２の手動での着脱等の手間を省き、より操作性を向上させることができる。
【００８２】
また、上記実施の形態では、表示部２０がヒンジ部２１を中心として回動するものとして説明したが、例えば表示部２０がデジタルカメラ１に対してスライドさせることで例えばデジタルカメラ１底面方向より取り外し可能な構造となっており、投影モード時には一旦取り外した表示部２０の裏表を入れ替えて再装着することにより、画像の投影が実現できるような構造をとれば、遮光に関する構造を簡略化することができる。
【００８３】
（第２の実施の形態）  
以下本発明を投影機能付きのＣＤＭＡ（Ｃｏｄｅ  Ｄｉｖｉｓｉｏｎ  Ｍｕｌｔｉｐｌｅ  Ａｃｃｅｓｓ：符号分割多元接続）方式の携帯電話機に適用した場合の第２の実施の形態について図面を参照して説明する。
【００８４】
図５（Ａ），（Ｂ）は、この第２の実施の形態に係る携帯電話機５１の外観構成を示すもので、ヒンジ部５２を介在して２つの筐体５３，５４が一定の角度範囲内で回動自在に一体に構成された折りたたみ式となっており、図５（Ａ）が最大限に開いた状態の内面を、図５（Ｂ）が折りたたんだ状態の主として下部筐体５４の外面を示す。
【００８５】
図５（Ａ）に示すように上部筐体５３の内面には、受話器となるスピーカ５５及びメイン表示部５６が備えられる。  
一方、下部筐体５４の内面には、ダイヤルキー等を含む各種キー５７及び送話器となるマイクロホン５８、及びスライドカバー５９が備えられる。
【００８６】
また、図５（Ｂ）に示すように、下部筐体５４の外面には、カメラ部６０及び撮影ライト６１が備えられる。さらに、この下部筐体５４内にも延在されているアンテナ６２がヒンジ部５２の端部背面側より外部に突出形成される。
【００８７】
上記各種キー５７には、ダイヤルキーや電源キー、回線接続、回線切断等のキーを備え、さらに下部筐体５４の側面に「＋」キー５７ａと「−」キー５７ｂを備える。
【００８８】
スライドカバー５９は、投影モード時にその表面に刻印されている如く右方向にスライド操作するもので、ここでは図示しないがスライドカバー５９を右方向にスライドさせた状態では、元のスライドカバー５９の位置に透明樹脂製の窓が配置され、下部筐体５４内部の気密を保ちながら、上記カメラ部６０のレンズをその裏側から視認することができるようになる。
【００８９】
なお、上部筐体５３の外面には、図示しないがサブ表示部７９が設けられているものとする。
【００９０】
図６は、投影モードに関連した携帯電話機５１内の構造の概念について示すものである。同図で、下部筐体５４のカメラ部６０では、光学レンズ６３の光路上に配置されていた、撮像素子であるＣＣＤ６４が、投影モード時には図中に矢印Ｅで示すように該光路上から退避するものとなっている。
【００９１】
一方の上部筐体５３では、その内面表面側に上記メイン表示部５６を構成する透過型のカラー液晶パネル５６ａが配設されるもので、このカラー液晶パネル５６ａの裏面側のほとんどに対して冷陰極管によるバックライト機構５６ｂが配設される一方、上記図１の破線範囲Ｆに相当する部位のみ、複数の高輝度白色ＬＥＤ５６ｃが配設される。
【００９２】
これら高輝度白色ＬＥＤ５６ｃは、その発光個数を制御することにより全体としての発光輝度を変更可能となるもので、この高輝度白色ＬＥＤ５６ｃを背面側に設けた上記破線範囲Ｆが、携帯電話機５１を折りたたんだ状態で上記スライドカバー５９下部の透明樹脂製の窓及び上記光学レンズ６３の光路位置に一致するものとなる。
【００９３】
図７は、上記携帯電話機５１の回路構成を示すものである。同図で、上記アンテナ６２は最寄りの基地局のいくつかとＣＤＭＡ方式の通信を行ない、このアンテナ６２にＲＦ部７１を接続している。
【００９４】
このＲＦ部７１は、受信時にはアンテナ６２から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部７２へ出力する。
【００９５】
一方、ＲＦ部７１は送信時に、変復調部７２から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号を、後述する制御部７５からの制御に基づいてＡＧＣ増幅器で送信電力制御した後にＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、上記デュプレクサを介してアンテナ６２より輻射送信させる。
【００９６】
変復調部７２は、受信時にＲＦ部７１からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、デジタル化してＣＤＭＡ部７３に出力する。
【００９７】
一方、変復調部７２は送信時に、ＣＤＭＡ部７３から送られてくるデジタル値のＩ・Ｑ信号をアナログ化した後に直交変調器でＯＱＰＳＫ変調してＲＦ部７１に送出する。
【００９８】
ＣＤＭＡ部７３は、受信時に変復調部７２からのデジタル信号をＰＮ（Ｐｓｅｕｄｏ  Ｎｏｉｓｅ：擬似雑音）符号のタイミング抽出回路及びそのタイミング回路の指示に従って逆拡散・復調を行なう複数の復調回路に入力し、そこから出力される複数の復調シンボルの同期をとって合成器で合成して音声処理部７４に出力する。
【００９９】
一方、ＣＤＭＡ部７３は送信時に、音声処理部７４からの出力シンボルを拡散処理した後にデジタルフィルタで帯域制限をかけてＩ・Ｑ信号とし、変復調部７２に送出する。
【０１００】
音声処理部７４は、受信時にＣＤＭＡ部７３からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化して上記スピーカ（ＳＰ）５５を拡声駆動させる。
【０１０１】
一方、音声処理部７４は送信時に、上記マイクロホン（ＭＩＣ）５８から入力されるアナログの音声信号をデジタル化した後に音声処理ＤＳＰでデータ量を圧縮し、それから畳込み符号器で誤り訂正符号化してからインタリーブし、その出力シンボルをＣＤＭＡ部７３へ送出する。
【０１０２】
しかして、上記ＲＦ部７１、変復調部７２、ＣＤＭＡ部７３、及び音声処理部７４に対して制御部７５を接続し、この制御部７５にＧＰＳレシーバ７６、画像撮影部７７、画像処理部７８、上記メイン表示部５６、サブ表示部７９、メモリカード８０、バイブレータ部８１、ＬＥＤ駆動部８２，８３、モータ（Ｍ）８４、及びカバースイッチ（ＳＷ）８５を接続している。
【０１０３】
ここで制御部７５は、ＣＰＵと、後述する投影モードでの動作等を含む各種動作プログラムを固定的に記憶したＲＯＭ、及びワークメモリとして使用されるＲＡＭ等で構成され、この携帯電話機５１全体の動作を制御する。
【０１０４】
ＧＰＳレシーバ７６は、ＧＰＳアンテナ８６が受信する複数のＧＰＳ衛星からの測位情報により現在位置の緯度、経度、及び高度と正確な現在時刻とを算出し、制御部７５へ出力する。
【０１０５】
画像撮影部７７は、制御部７５の制御の下に、上記カメラ部６０を構成する、モータ（Ｍ）８４により位置駆動される光学レンズ６３の撮影光軸後方に配置されたＣＣＤ６４での撮影動作を制御し、撮影により得られる画像データをデジタル化して出力する。
【０１０６】
画像処理部７８は、画像撮影部７７より得られる画像データを例えばＪＰＥＧ方式に基づいてデータ圧縮する一方で、受信した画像データのデータ圧縮を解いて伸長し、元のビットマップ状の画像データを得る。
【０１０７】
メモリカード８０は、この携帯電話機５１に着脱自在に備えられるもので、自機で撮影した画像データや受信により得た画像データ等を記憶しておく。
【０１０８】
バイブレータ部８１は、着信時等に予め設定された振動パターン及び振動強度で振動する。
【０１０９】
ＬＥＤ駆動部８２は、上記撮影ライト６１を構成する高輝度白色ＬＥＤの駆動回路であり、必要に応じて撮影ライト６１によりカメラ部６０の撮影対象となる被写体方向に向けて補助光を照射させる。
【０１１０】
ＬＥＤ駆動部８３は、通常のメイン表示部５６表示時には周囲のバックライト機構５６ｂに合わせた低発光輝度となるよう個数を限定して高輝度白色ＬＥＤ５６ｃを点灯駆動する一方で、投影モード時には複数の高輝度白色ＬＥＤ５６ｃを全点灯させて最大輝度で発光させる。
【０１１１】
カバースイッチ８５は、上記スライドカバー５９の操作位置を検出し、その検出信号を上記制御部７５へ送出する。
【０１１２】
また、図示はしないが、上記ヒンジ部５２には上部筐体５３と下部筐体５４の展開状態及び折りたたみ状態を検出するための機構を有するものとする。この検出機構からの情報により制御部７５は、投影モード時に上記スライドカバー５９の操作がなされた後に上部筐体５３と下部筐体５４とが折りたたまれ、実際に投影可能な状態となったか否かを判断することができるものとする。
【０１１３】
なお、この携帯電話機５１においても、上記第１の実施の形態のデジタルカメラ１と同様に、静止画のみならず動画の記録と再生とが可能であるものとする。
【０１１４】
その場合、撮影により得た静止画データ及び動画データはいずれもメモリカード８０に記憶し、このメモリカード８０に記憶した内容を選択指示により任意にメイン表示部５６のカラー液晶パネル５６ａで再生出力することが可能であると共に、適宜電子メールの添付ファイルとして選択設定することで、通信相手にも送信することが可能であるものとする。
【０１１５】
次に上記実施の形態の動作について説明する。  
以下に示す各処理は、基本的に制御部７５が予め固定記憶されたプログラムに基づいて実行するものである。  
図８は、基本モードである投影モード時の動作について説明するものである。  
その動作当所においては、例えば待受け状態から、スライドカバー５９が上記図５（Ａ）で示した位置から右方向にスライド操作されたか否かを繰返し判断することで、投影モードが指示されるのを待機する（ステップＢ０１）。
【０１１６】
そしてスライドカバー５９がスライド操作されると、まず投影に先立って上記図６の矢印Ｅで示した如くＣＣＤ６４をカメラ部６０の光学レンズ６３の光路上から退避させる（ステップＢ０２）。
【０１１７】
その後、上述したヒンジ部５２の上部筐体５３と下部筐体５４の展開状態及び折りたたみ状態を検出するための機構からの情報により携帯電話機５１が折りたたみ状態となったか否かを判断し（ステップＢ０３）、折りたたみ状態になければ制御部７５内部のタイマによりその時間をカウントし（ステップＢ０４）、一定時間、例えば５［秒］に達したか否かを判断して（ステップＢ０５）、達していなければ上記ステップＢ０３に戻る、という処理を繰返し実行し、携帯電話機５１が折りたたみ状態とされるのを待機する。
【０１１８】
携帯電話機５１が折りたたみ状態にないまま一定時間が経過し、これをステップＢ０５で判断すると、メイン表示部５６のカラー液晶パネル５６ａに、例えば  
「本体を折りたたんでください」  
のようなガイドメッセージを表示した上で（ステップＢ０６）、再び上記ステップＢ０３からの処理に戻り、携帯電話機５１が折りたたみ状態となるのを待機する。
【０１１９】
しかして、携帯電話機５１が折りたたまれると、ステップＢ０３でこれを判断し、投影モード時以外の他の動作では一般的に携帯電話機５１の折りたたみにしたがってメイン表示部５６での表示がオフされ、代わって図示しないサブ表示部７９での表示がオンされるものであるが、この投影モード時にはあえてサブ表示部７９での表示をオフさせる（ステップＢ０７）。
【０１２０】
その上で、上記スライドカバー５９を操作する前に待受け状態でなんらかの画像をメイン表示部５６で再生していた場合にはその画像を、またそうでない場合にはメモリカード８０に記録されている画像の中でタイムスタンプ情報が最も新しい画像を選択して再生し、図５に示すメイン表示部５６の破線範囲Ｆに合わせた画像サイズとなるように画素を間引いた上で、メイン表示部５６のカラー液晶パネル５６ａの破線範囲Ｆに該当する部分で表示させると共に（ステップＢ０８）、同高輝度白色ＬＥＤ５６ｃを構成する全素子を点灯駆動してその発光輝度を最大に高める（ステップＢ０９）。
【０１２１】
このとき、カラー液晶パネル５６ａの破線範囲Ｆでの表示により形成された光像が高輝度白色ＬＥＤ５６ｃの最大輝度での照光によりカメラ部６０の光学レンズ６３を介して携帯電話機５１の下部筐体５４側から投影されるので、この携帯電話機５１を図示しない対象物、例えばスクリーン等から適切な距離だけ離して配置することにより、画像を拡大した状態で投影表示することができる。
【０１２２】
この投影表示状態では、上記「＋」キー５７ａまたは「−」キー５７ｂのいずれかが操作されたか否か（ステップＢ１０）、外部から通話または電子メールの着信があったか否か（ステップＢ１１）、あるいは携帯電話機５１が展開されてスライドカバー５９のスライド操作位置が戻されることにより投影モードの解除が指示されたか否か（ステップＢ１２）を繰返し判断することで、これらのキー操作を受付ける。
【０１２３】
上記ステップＢ１０で「＋」キー５７ａまたは「−」キー５７ｂのいずれかが操作されたと判断した場合には、その操作されたキーに対応して、それまで表示していた画像に代えて、例えば「−」キー５７ｂであればタイムスタンプ情報が１つ古い画像、「＋」キー５７ａであればタイムスタンプ情報が１つ新しい画像をメモリカード８０から選択してメイン表示部５６のカラー液晶パネル５６ａの破線範囲Ｆで再生表示させ（ステップＢ１３）、再び上記ステップＢ０９からの投影表示状態に戻る。
【０１２４】
この場合、メモリカード８０に記録されている最もタイムスタンプ情報が古い画像を表示している状態からさらに「−」キー５７ｂが操作された際には、最もタイムスタンプ情報が新しい画像を選択し、反対に最もタイムスタンプ情報が新しい画像を表示している状態からさらに「＋」キー５７ａが操作された際には、最もタイムスタンプ情報が古い画像を選択して再生表示させることにより、メモリカード８０に記録されている画像データを循環的に取扱うことができる。
【０１２５】
また、上記ステップＢ１１で着信があったと判断したと判断した場合には、以下に示すステップＢ１５〜Ｂ１７で示す投影モードの解除動作を一括して実行した上で（ステップＢ１４）、直ちにその着信に対応する通常の着信動作に移行する。
【０１２６】
さらに、上記ステップＢ１２で携帯電話機５１が展開操作されて上記スライドカバー５９のスライド操作位置が戻されることにより投影モードの解除が指示されたと判断した場合には、高輝度白色ＬＥＤ５６ｃの発光する素子数を減じて発光輝度を通常の発光輝度に戻し、無駄な電力消費を避けるようにした後（ステップＢ１５）、上記ステップＢ０２での処理とは反対にＣＣＤ６４をカメラ部６０の光学レンズ６３の光路上に挿入、配置し（ステップＢ１６）、併せて携帯電話機５１の展開または折りたたみ状態によりメイン表示部５６または上部筐体５３の設けられるサブ表示部７９のいずれか一方の表示をオンとした後に（ステップＢ１７）、以上で投影モードを解除したものとして、再び上記ステップＢ０１からの処理に戻り、待受け状態での処理を実行しながら、スライドカバー５９がスライド操作されて投影モードが指示されるのを待機する。
【０１２７】
このように、投影モード時の光源として使用する高輝度白色ＬＥＤ５６ｃを、メイン表示部５６のバックライト機構５６ｂと一体にして組込み、投影モード時以外ではその発光素子数を減じて周囲と同等の発光輝度となるようにしたことで、投影モード時の発光輝度を高めながら、且つ電力消費の少ないＬＥＤのような発光素子を選択するなど、より投影モード時に投影表示される画像の質を上げながら、装置の負担を軽減させることが可能となる。
【０１２８】
加えて、上記スライドカバー５９は、上記カメラ部６０で撮影を行なう場合に光学レンズ６３系以外から外光がＣＣＤ６４に入射してしまう遮光手段と、投影モードの指示スイッチと兼用するものであり、このようなスライドカバー５９を設けることで投影モードの設定／解除のための機構を減らすことができるだけでなく、投影モードの設定／解除のための操作性をより向上させることができる。
【０１２９】
加えて、本実施の形態では、折りたたみ式の携帯電話機５１でメイン表示部５６をその内面に配設した上部筐体５３とカメラ部６０を配設した下部筐体５４とを折りたたんだ状態で投影系の光学部材が直線的に配置され、投影動作が実行できるようにしたもので、上記第１の実施の形態のデジタルカメラ１における表示部２０の表示方向を反転するためのヒンジ部２１のような機構を別に設ける必要がないため、投影モード時の画像形成及び光源側と投影側の位置設定を装置の折りたたみ操作により簡易に実現できる。
【０１３０】
なお、上記第１の実施の形態はデジタルカメラに、第２の実施の形態は折りたたみ式の携帯電話機に本発明を適用した場合について説明したものであるが、本発明はこれに限ることなく、撮影部と表示部とを有する携帯使用することが可能な小型電子機器、例えばカメラ機能を備えたＰＤＡ（Ｐｅｒｓｏｎａｌ  Ｄｉｇｉｔａｌ  Ａｓｓｉｓｔａｎｔｓ：個人向け情報端末装置）や腕時計、携帯型ナビゲーション装置等にも比較的容易に実現可能である。
【０１３１】
その他、本発明は上記実施の形態に限らず、その要旨を逸脱しない範囲内で種々変形して実施することが可能であるものとする。
【０１３２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１３３】
【図１】本発明の第１の実施の形態に係る投影機能付きデジタルカメラの外観構成を示す斜視図。
【図２】同実施の形態に係る投影機構を説明する図。
【図３】同実施の形態に係る基本回路構成を示すブロック図。
【図４】同実施の形態に係る主として投影モード時の処理内容を示すフローチャート。
【図５】本発明の第２の実施の形態に係る投影機能付き携帯電話機の外観構成を示す図。
【図６】同実施の形態に係る投影機構を説明する図。
【図７】同実施の形態に係る基本回路構成を示すブロック図。
【図８】同実施の形態に係る主として投影モード時の処理内容を示すフローチャート。
【符号の説明】
【０１３４】
１…デジタルカメラ、１ａ…ボディ凹部、２…撮影レンズ、３…セルフタイマランプ、４…光学ファインダ窓、５…マイクロホン部（ＭＩＣ）、６…ストロボ発光部、７…バーグリップ、８…電源キー、９…シャッタキー、１０…Ｗ／Ｔキー、１１…撮影モード（ＲＥＣ）キー、１２…再生モード（ＰＬＡＹ）キー、１３…投影モードキー（ＰＲＯＪ．）、１４…メニュー（ＭＥＮＵ）キー、１５…リングキー、１６…セット（ＳＥＴ）キー、１７…スピーカ部（ＳＰ）、１８…インジケータ部、１９…光学ファインダ、２０…表示部、２０ａ…バックライト機構、２０ｂ…カラー液晶パネル、２１…ヒンジ部、２２…遮光キャップ、２３…ＣＣＤ、２４…投影レンズ、２５…位置検出スイッチ（ＳＷ）、３１…モータ（Ｍ）、３２…レンズ光学系、３３…タイミング発生器（ＴＧ）、３４…垂直ドライバ、３５…サンプルホールド回路（Ｓ／Ｈ）、３６…Ａ／Ｄ変換器、３７…カラープロセス回路、３８…ＤＭＡコントローラ、３９…ＤＲＡＭインタフェース（Ｉ／Ｆ）、４０…ＤＲＡＭ、４１…制御部、４２…ＶＲＡＭコントローラ、４３…ＶＲＡＭ、４４…デジタルビデオエンコーダ、４５…ＪＰＥＧ回路、４６…メモリカード、４７…内蔵メモリ、４８…キー入力部、４９…音声処理部、５０…ストロボ駆動部、５１…携帯電話機、５２…ヒンジ部、５３…上部筐体、５４…下部筐体、５５…スピーカ、５６…メイン表示部、５７…各種キー、５７ａ…「＋」キー、５７ｂ…「−」キー、５８…マイクロホン、５９…スライドカバー、６０…カメラ部、６１…撮影ライト、６２…アンテナ、６３…光学レンズ、６４…ＣＣＤ、７１…ＲＦ部、７２…変復調部、７３…ＣＤＭＡ部、７４…音声処理部、７５…制御部、７６…ＧＰＳレシーバ、７７…画像撮影部、７８…画像処理部、７９…サブ表示部、８０…メモリカード、８１…バイブレータ部、８２…ＬＥＤ駆動部、８３…ＬＥＤ駆動部、８４…モータ（Ｍ）、８５…カバースイッチ、８６…ＧＰＳアンテナ。
【図１】
2005203953.tif 000003
【図２】
2005203953.tif 000004
【図３】
2005203953.tif 000005
【図４】
2005203953.tif 000006
【図５】
2005203953.tif 000007
【図６】
2005203953.tif 000008
【図７】
2005203953.tif 000009
【図８】
2005203953.tif 000010